(57)【要約】      （修正有）【課題】花びら及び花茎によって装飾され、花すれを防止でき、一定の形が保たれ、品質を向上できるとともに、安定した輸送に耐えることのできるシンビジウムの鉢植えの仕立て方法を提供する。【解決手段】シンビジウムの鉢植え１０の仕立て方法は、鉢１の中における二本のシンビジウムの花茎の付近に鉄芯を含む二本の支柱１１，１１を立設し、該支柱同士が立ち上がる部分を交差して交差部１２を設け、これらの支柱の少なくとも一部を弧状に曲げて正面視した際に装飾形状ができるように形成し、該支柱でそれぞれ二本のシンビジウムの花茎２，２を固定し、前記交差部１２において、前記二本の支柱とともに、さらに鉢の中に立設したもう一つの他の支柱１３でシンビジウムの花茎を固定し、前記二本の支柱１１，１１の先端における鉄芯と鉄芯とを、連結部材としてのチューブ１４でつなぐ。【選択図】図１
2018201511.tif 000002
【特許請求の範囲】
【請求項１】
鉢の中における二本のシンビジウムの花茎の付近に鉄芯を含む二本の支柱を立設し、該支柱同士が立ち上がる部分を交差して交差部を設け、これらの支柱の少なくとも一部を弧状に曲げて正面視した際に装飾形状ができるように形成し、該支柱でそれぞれ二本のシンビジウムの花茎を固定し、前記交差部において、前記二本の支柱とともに、さらに鉢の中に立設したもう一つの他の支柱でシンビジウムの花茎を固定し、前記二本の支柱の先端における鉄芯と鉄芯とを、連結部材としてのチューブでつなぐことを特徴とするシンビジウムの鉢植えの仕立て方法。
【発明の詳細な説明】
【技術分野】
【０００１】
本発明は、花びら及び花茎によって装飾され、花すれを防止でき、一定の形が保たれ、品質を向上できるとともに、安定した輸送に耐えることのできるシンビジウムの鉢植えの仕立て方法に関する。
【背景技術】
【０００２】
従来から、観賞用の植物の鉢植えとして、主に３〜５本程度の花茎を仕立てたラン科（洋蘭）植物の鉢植え等が流通している。一方、２本の花茎を使って湾曲させる等してアレンジすることにより付加価値を高め、開花させた花びらの華やかさとともに華やかな形状を表現した鉢植えなども提案されている。
【０００３】
例えば、実用新案登録第３１１２００２号公報には、花びらの華やかさに加えて、花茎の形状によっても華やかさを表現することのできる胡蝶蘭の鉢植えの提供を主たる目的として、鉢の中に立設した２本の花茎支持用の支柱を、全体に湾曲し、先端部分において交差又は接触させることで正面から見たときにハート形となる様に形成し、これら２本の花茎支持用の支柱に対して、２本仕立てとした胡蝶蘭の花茎を、開花時に大部分の花がほぼ正面を向く様に固定して開花させたことを特徴とする胡蝶蘭の鉢植えが開示されている（特許文献１）。
【０００４】
このような胡蝶蘭は、その花茎自体がやわらかく、もともと曲がっているものであるがゆえに、曲線形状のアレンジが容易にできるものであった。胡蝶蘭をアレンジしたものを鉢植えに仕立てる際には、その花茎１本ずつ曲がったものを作っておいて、それらの２本を合体させている。具体的には、１鉢に１本の花茎を曲げておいて、それを２本寄せ合わせて仕立てることにより、胡蝶蘭の鉢植えが作られている。
【０００５】
しかしながら、従来の胡蝶蘭の鉢植えでは、花すれが生じやすく、花茎の形状保持が不十分で、輸送の際に不安定であるといった問題がある。
【０００６】
これに対し、特に花茎の形状を保持し得るものとして、同じラン科植物として流通しているシンビジウムを鉢植えがあるが、シンビジウムの花茎は、自然の状態では立っているもので、曲がっているものが少なく、硬く、これを曲線形状にしようとすると折れやすい。
【０００７】
このため、シンビジウムの硬い性質を活かして一定の形状を保ちつつ、美しい曲線形状をうまく表現でき、花すれが生じにくく、輸送の際にも安定なシンビジウムの鉢植え及びこれを仕立てる方法が望まれていた。
【先行技術文献】
【特許文献】
【０００８】
【特許文献１】実用新案登録第３１１２００２号公報
【発明の概要】
【発明が解決しようとする課題】
【０００９】
そこで、本発明は、花びら及び花茎によって装飾され、花すれを防止でき、一定の形が保たれ、品質を向上できるとともに、安定した輸送に耐えることのできるシンビジウムの鉢植え及び該シンビジウムの鉢植えの仕立て方法を提供することを目的とする。
【課題を解決するための手段】
【００１０】
本発明は、下記の発明を提供することにより、その目的を達成したものである。
【００１１】
１．鉢の中に立設させた二本の支柱を立ち上がり部分で交差して交差部を設け、これらの支柱の少なくとも一部を弧状に曲げて正面視した際に装飾形状ができるように形成し、該支柱によりそれぞれ二本のシンビジウムの花茎を固定し、仕立てるシンビジウムの鉢植えであって、
前記交差部において、前記二本の支柱とともに、さらに鉢の中に立設させたもう一つの他の支柱でシンビジウムが固定され、
前記二本の支柱の先端部同士は、連結部材を介してつながれていることを特徴とするシンビジウムの鉢植え。
【００１２】
２．前記装飾形状が、ハート形である、前記１記載のシンビジウムの鉢植え。
【００１３】
３．前記二本の支柱がともに鉄芯を含み、それら二本の支柱の先端における鉄芯と鉄芯とが前記連結部材としてのチューブを介してつながれている、前記１又は２記載のシンビジウムの鉢植え。
【００１４】
４．前記の他の支柱が直線状のものであり、その上部先端が前記二本の支柱の高さよりも高くなるように位置する、前記１〜３の何れかに記載のシンビジウムの鉢植え。
【００１５】
５．前記装飾形状としてのハート形からなる二本のシンビジウムの花茎とともに、正面視で互いに重ならないように、さらにもう一つのハート形からなる二本のシンビジウムの花茎を前後に配置して、ダブルハートを形成してなる、前記２〜４の何れかに記載のシンビジウムの鉢植え。
【００１６】
６．鉢の中における二本のシンビジウムの花茎の付近に二本の支柱を立設し、該支柱同士が立ち上がる部分を交差して交差部を設け、これらの支柱の少なくとも一部を弧状に曲げて正面視した際に装飾形状ができるように形成し、該支柱でそれぞれ二本のシンビジウムの花茎を固定し、前記交差部において、前記二本の支柱とともに、さらに鉢の中に立設したもう一つの他の支柱でシンビジウムの花茎を固定し、前記二本の支柱の先端部同士を、連結部材でつなぐことを特徴とするシンビジウムの鉢植えの仕立て方法。
【発明の効果】
【００１７】
本発明によれば、花びら及び花茎によって装飾され、花すれを防止でき、一定の形が保たれ、品質を向上できるとともに、安定した輸送に耐えることのできるシンビジウムの鉢植え及びその仕立て方法を提供することができる。
また、シンビジウムの鉢植えは一般に和紙が巻かれて利用されるが、本発明によれば、その必要がなくなる。シンビジウムはその花茎がかたいため、花茎を利用した装飾品として従来にない形に仕上がる。
【図面の簡単な説明】
【００１８】
【図１】本発明の一実施形態に係るシンビジウムの鉢植えを示す正面図である。
【図２】図１のシンビジウムの鉢植えを示す右側面図である。
【図３】図１のシンビジウムの鉢植えにおける交差部付近を示す拡大正面図である。
【図４】図１のシンビジウムの鉢植えにおける二本の支柱の先端部付近を示す拡大正面図である。
【図５】図５（ａ）は、本発明の一実施形態に係るシンビジウムの鉢植えの支柱骨格を示す概略説明図である。図５（ｂ）は、図５（ａ）のシンビジウムの鉢植えにおける二本の支柱の先端部を示す概略説明図である。
【図６】図６（ａ）は、本発明の一実施形態に係るシンビジウムの鉢植えの支柱骨格を示す概略正面図である。図６（ｂ）は、図６（ａ）のシンビジウムの鉢植えの支柱骨格を示す概略右側面図である。
【図７】図７（ａ）は、本発明の他の実施形態に係るシンビジウムの鉢植えにおける花茎からなるダブルハート形状を示す概略正面図である。図７（ｂ）は、図７（ａ）のダブルハート形状を示す概略右側面図である。
【発明を実施するための形態】
【００１９】
以下、本発明について、その好ましい実施形態に基づき詳細に説明する。
本発明の一実施形態（第１実施形態）に係るシンビジウムの鉢植えを図１に示す。図１に示すように、本実施形態に係るシンビジウムの鉢植え１０は、鉢１の中に立設させた二本の支柱１１，１１を立ち上がり部分で交差して交差部１２を設け、これらの支柱１１，１１の少なくとも一部を弧状に曲げて正面視した際にハート形の装飾形状ができるように形成し、支柱１１，１１により（各支柱に沿って）それぞれ２本のシンビジウムの花茎２，２を曲げ、固定したものである。
【００２０】
交差部１２においては、二本の支柱１１，１１とともに、さらに鉢１の中に立設させたもう一つの他の支柱１３でシンビジウムの花茎２，２が固定される。この支柱１３は、鉢１の中から交差部１２を通るようにして略鉛直方向直線状に立設される。
また、二本の支柱１１，１１の先端部同士は、連結部材１４を介してつながれている。
【００２１】
このようにして仕立てられた本実施形態のシンビジウムの鉢植え１０は、正面から見ると、シンビジウムの花茎２，２で形成されたハート形によって、全体的に装飾されたものとなる。このハート形により、シンビジウムの花茎２，２の各所に備わる花びらが開花時に一層華やかさを増し、装飾用品や慶事等の贈答用品として価値を有する。
【００２２】
シンビジウムの鉢植え１０を右側面から見ると、図２に示すように、ハート形の面が上部から先端部（下端）にかけてやや斜めに突き出るように構成される。ハートの形状を含む面は、好ましくは、鉛直面に対して角度が２０°〜４０°、特に２５〜３５°の範囲内となるようにするのが好ましい。また、本実施形態では、鉢植え１０のハート形の下端は、鉢１に対して外にはみ出していること（図２の１４の位置参照）が装飾性の観点から好ましいが、鉢１の内側に位置することもできる。
【００２３】
本実施形態に係るシンビジウムの鉢植え１０を上記のように構成することにより、花びら及び花茎によって装飾され、花すれを防止でき、一定の形が保たれ、品質を向上できるとともに、安定した輸送に耐えることができる。
また、本実施形態に係るシンビジウムの鉢植え１０は、一般に利用されている和紙を巻く必要がなく、シンビジウムはもともとその花茎がかたいため、花茎を利用した装飾品として従来にない形に仕上げることができる。
【００２４】
シンビジウムの鉢植え１０を仕立てる際には、シンビジウムを長期間（３年程度）自然の状態で成長させた後、一気に作り上げる。シンビジウムに対する装飾のアレンジは、胡蝶蘭のように、寄せることや曲げることは殆ど行わない。かかるシンビジウムの花茎二本のものであっても、これにアレンジをして付加価値を付けることで商品価値を高めることが可能である。
【００２５】
図３に示すように、交差部１２では、いわゆるビニタイ１５（ビニールタイ：Vinyl Tie）、すなわちビニールでコーティングされたひもを用いて、二本のシンビジウム２，２及び二本の支柱１１，１１並びに他の支柱１３が交わった部分を結ぶ（縛り付ける）ことにより、シンビジウムの花茎を固定する。
支柱１３は、直線状のものであり、その上部先端が二本の支柱１１，１１の高さよりも高くなるように位置させることが好ましい。このような位置関係にすることで、輸送等の際における型崩れを一層防止でき、品質を向上できる。
【００２６】
また、図４に示すように、二本の支柱１１，１１は、ともに鉄芯を含み、それらの先端における鉄芯と鉄芯とが連結部材１４としてのチューブを介してつながれている。この連結部材１４としてのチューブにより、特に両側の花茎２，２の先端部における花すれを防止することができ、輸送の際にもハート形が崩れることなく、安定させることができる。
【００２７】
本実施形態においては、支柱１１の径が４ｍｍ、連結部材１４としてのチューブの内径が４ｍｍのものが使用されているが、特に制限されるものではなく、支柱１１の径及び連結部材１４の内径は、１〜１０ｍｍ、特に２〜７ｍｍの範囲のものが好ましく使用できる。また、連結部材１４としては、例えば、ポリウレタンチューブ等が好ましく用いられる。
【００２８】
本実施形態に係るシンビジウムの鉢植え１０の支柱骨格をわかりやすく示すと、図５（ａ）のようになされている。図５（ａ）に示すように、鉢１の中に立設された二本の支柱１１，１１と他の支柱１３が交差部１２においてビニタイ１５で結ばれ、支柱１１，１１の先端が連結部材１４でつながれ（図５（ｂ）の拡大図参照）、ハート形を形成する。
図６（ａ）は、シンビジウムの鉢植え１０の支柱骨格を正面から見たイメージであり、図６（ｂ）は、同鉢植え１０の支柱骨格を右側面から見たイメージである。
これらの支柱骨格により固定されたシンビジウムの花茎２，２は、その花びらとともに全体として美しいハート形を表現することができる（図５及び図６では花茎を図示せず）。
【００２９】
また、本発明においては、鉢の中における二本のシンビジウムの花茎の付近に二本の支柱を立設し、該支柱同士が立ち上がる部分を交差して交差部を設け、これらの支柱の少なくとも一部を弧状に曲げて正面視した際に装飾形状ができるように形成し、該支柱でそれぞれ二本のシンビジウムの花茎を固定し、前記交差部において、前記二本の支柱とともに、さらに鉢の中に立設したもう一つの他の支柱でシンビジウムの花茎を固定し、前記二本の支柱の先端部同士を、離間させて連結部材でつなぐ、シンビジウムの鉢植えの仕立て方法を提供することができる。かかる仕立て方法によって、花びら及び花茎によって装飾され、花すれを防止でき、一定の形が保たれ、品質を向上できるとともに、安定した輸送に耐えることのできるシンビジウムの鉢植えを得ることができる。
【００３０】
本発明の他の実施形態（第２実施形態）に係るシンビジウムの鉢植えを図７（ａ）及び（ｂ）のイメージ図に示す。図７（ａ）及び（ｂ）に示すように、本実施形態に係るシンビジウムの鉢植え２０は、ハート形からなる二本のシンビジウムの花茎２２ａとともに、正面視で互いに重ならないように、さらにもう一つのハート形からなる二本のシンビジウムの花茎２２ｂを前後に配置して、ダブルハートを形成してなるものである。花茎２２ａと花茎２２ｂとの前後の間隔としては、少なくとも１０ｃｍ程度開けて、両者がぶつからないようにすることが望ましい。
【００３１】
かかるダブルハートを仕立てる方法としては、前述した第１実施形態に係るシンビジウムの鉢植え１０におけるハート形のシンビジウムの花茎を形成することと同様に、それぞれを形成することで行うことができる。
すなわち、鉢の中に立設させた前後二本ずつの支柱を立ち上がり部分で交差してそれぞれ交差部を設け、これらの各支柱の少なくとも一部を弧状に曲げて正面視した際に２つのハート形の装飾形状が重ならないように形成し、支柱により（各支柱に沿って）それぞれ前後二本ずつのシンビジウムの花茎を曲げ、固定したものである。各支柱は、２２ａと２２ｂの位置に沿って立設される。
【００３２】
前後それぞれの交差部においては、各二本の支柱とともに、さらに鉢の中に立設させたもう一つの他の支柱（交差部を通る略鉛直方向直線状に立設したもの）で前後の各シンビジウムの花茎が固定される。弧状に曲げられた支柱の先端部同士（ハート形の先端に相当）は、双方ともに連結部材を介してつながれている。
【００３３】
本実施形態では、ダブルハートにおける前後の各ハート形の大きさの割合は、前のシンビジウムの花茎２２ａからなるハート形と後のシンビジウムの花茎２２ｂからなるハート形との面積比が、ほぼ１．５：２であるが、好ましくは１〜１．８：２程度の範囲で仕立てられる。
【００３４】
このようにして仕立てられた本実施形態のシンビジウムの鉢植え２０は、正面から見ると、シンビジウムの花茎２２ａ及び２２ｂで形成された２つのハート形がずれて（完全に重ならないように）位置することによって、全体的に一層装飾されたものとなる。このダブルハートにより、シンビジウムの花茎２２ａ，２２ｂの各所に備わる花びらが開花時に一つだけのハート形よりも尚一層華やかさを増し、装飾用品や慶事等の贈答用品としてより高い価値を有する。
【００３５】
本実施形態に係るシンビジウムの鉢植え２０を上記のように構成することにより、花びら及び花茎によって一つだけのハート形よりもさらに装飾され、花すれを防止でき、前後のハート形が相俟って一定の形がより保たれ、品質を一層向上できるとともに、より安定した輸送に耐えることができる。
【００３６】
以上、詳述したとおり、本発明においては、前述した各実施形態を好ましい実施形態とするが、これに制限されるものではなく、本発明の趣旨を逸脱しない限り、適宜に変更形態とすることができる。
【符号の説明】
【００３７】
１…鉢
２，２２ａ，２２ｂ…シンビジウムの花茎
１０，２０…シンビジウムの鉢植え
１１…支柱
１２…交差部
１３…他の支柱
１４…連結部材（チューブ）
１５…ビニタイ
【図１】
2018201511.tif 000003
【図２】
2018201511.tif 000004
【図３】
2018201511.tif 000005
【図４】
2018201511.tif 000006
【図５】
2018201511.tif 000007
【図６】
2018201511.tif 000008
【図７】
2018201511.tif 000009